(57)【要約】【課題】力率改善回路の容量を増加することなくプラズマパネルの変更にともなう駆動電圧の変化に対応できるプラズマテレビジョンの提供を目的とする。【解決手段】商用電源を直流に変換する整流回路３と、力率を変換するための力率改善回路４と、アドレス電源を生成するアドレス電源生成部６ａと、サスティン電源を生成するサスティン電源生成部６ｂとを有する主電源基板１６と、整流回路３から生成された直流電源を基に、リセット電源を生成するリセット電源生成部６ｃと、スキャン電源を生成するスキャン電源生成部６ｄと、起動電源を生成する起動電源生成部６ｅとから構成されるサブ電源基板１７とを有する。【選択図】図３
2007258818.tif 000002
【特許請求の範囲】
【請求項１】
印加電圧により発光する物質を充填した画素をマトリクス状に配置するとともに、映像を表示するプラズマパネルと、
音声を出力するスピーカと、
アンテナが受信したテレビジョン放送より所定の番組に対応する周波数帯を選択し、上記選択したテレビジョン放送を基に映像信号と音声信号を生成するディジタル基板と、
商用電源を基に上記プラズマパネルを駆動するためのアドレス電源と、サスティン電源と、リセット電源と、スキャン電源と、起動電源とを生成する電源基板と、  上記プラズマパネルを収容する凹部を有する箱型形状であって、上記凹部に上記プラズマパネルをネジ止めするとともに、上記ディジタル基板と、電源基板を上記プラズマパネルの背面に固定されるようネジ止めするメインフレームと、
上記プラズマパネルと上記ディジタル基板と上記電源基板とをネジ止めしたメインフレームと、上記スピーカとを収容する筺体とを具備するプラズマテレビジョンにおいて、
上記電源基板は、
上記商用電源を整流回路にて直流に変換した後、力率改善回路にて力率を変換し、上記力率を変換した電源を基にアドレス電源を生成するアドレス電源生成部と、サスティン電源を生成するサスティン電源生成部と、上記アドレス電源とサスティン電源とを上記プラズマパネルの駆動回路に出力する第一の出力端子を有する主電源基板と、
上記主電源基板の整流回路から生成された直流電源を第二の出力端子から供給し、同供給された直流電源を基にリセット電源を生成するリセット電源生成部と、スキャン電源を生成するスキャン電源生成部と、起動電源を生成する起動電源生成部と、上記リセット電源と、スキャン電源と、起動電源とを上記駆動回路に出力する第三の出力端子とを有するサブ電源生成回路とから構成され、
上記メインフレームにて、上記主電源基板とサブ電源基板とを上記プラズマパネルの背面にて厚みを同じにするよう隣接してネジ止めした際、上記第一の出力端子と上記第三の出力端子に接続して上記駆動回路に駆動電源を供給する電源ラインが一束にまとまるよう、
上記主電源基板は、上記サブ電源基板と隣接する一辺より厚みを同じに延設する第一の基部と、上記第一の基部より所定間隔を有して延設する第二の基部とを有し、上記第二の基部に上記第一の出力端子を配置し、
上記サブ電源基板は、上記第一の基部と上記第二の基部との間に挿入するよう同サブ電源基板の上記主電源基板と隣接する一辺より厚みを同じに延設し、
上記第三の出力端子を配置する第三の基部とを有することを特徴とするプラズマテレビジョン。
【請求項２】
商用電源を交流安定化電源に変換した後、プラズマパネルを駆動するためのアドレス電源と、サスティン電源と、リセット電源と、スキャン電源と、起動電源とを生成し、上記生成した安定化電源を基にプラズマパネルを駆動するプラズマテレビジョンにおいて、
上記商用電源を直流に変換する整流回路と、力率を変換するための力率改善回路と、アドレス電源を生成するアドレス電源生成部と、サスティン電源を生成するサスティン電源生成部とを有する主電源基板と、
上記整流回路から生成された直流電源を基に、リセット電源を生成するリセット電源生成部と、スキャン電源を生成するスキャン電源生成部と、起動電源を生成する起動電源生成部とから構成されるサブ電源生成回路とを有することを特徴とするプラズマテレビジョン。
【請求項３】
上記主電源基板と、上記サブ電源基板とは、上記プラズマパネルを固定するための凹部を有する箱状のメインフレームにて、上記プラズマパネルの背面にて厚みを同じにするよう隣接して固定されるとともに、上記主電源基板と上記サブ電源基板から出力される電源を、上記プラズマパネルに供給するための電源ラインを一束にまとめるために、
上記主電源基板は、上記サブ電源基板と隣接する一辺より延設し上記プラズマパネルへ上記アドレス電源と上記サスティン電源とを供給する出力端子を配置する第一の基部と、上記第一の基部と所定の間隔を有して延設する第二の基部とを有し、
上記サブ電源基板は、上記主電源基板と隣接して固定された際、上記リセット電源とスキャン電源と起動電源とを出力する出力端子が上記第一の基部と上記第二の基部との間に挿入するよう同サブ電源基板の上記主電源基板と隣接する一辺より厚みを同じに延設する第三の基部とを有することを特徴とする請求項２に記載のプラズマテレビジョン。
【請求項４】
上記主電源基板は、上記サブ電源基板に上記整流回路から分圧した電源電圧を供給するための出力端子を、上記第二の基部に配置することを特徴とする請求項３に記載のプラズマテレビジョン。
【発明の詳細な説明】
【技術分野】
【０００１】
本発明は、プラズマテレビジョンに関し、特に、プラズマパネルを駆動するための駆動電源生成回路を複数の基板に分割して実装する基板構成であるプラズマテレビジョンに関する。 
【背景技術】
【０００２】
図４は従来の従来の駆動用電源回路のブロック構成図である。従来の電源回路１は、整流回路３、力率改善回路４、トランス５、ＤＣ／ＡＣコンバータ６とを有し、商用電源２からコンセントを介して供給された交流電源を整流回路３にて直流に変換した後、力率改善回路４にて力率を１に近ずけるよう改善する。その後、トランスを介してＤＣ／ＡＣコンバータにより定圧電源を生成してプラズマパネル１２を駆動する駆動回路１３ａに出力する。
【０００３】
力率改善回路４は、アクティブフィルターとも呼ばれ、チョークコイル４ａとトランジスタ４ｂのスイッチ作用により、有効電力／皮相電力の値である力率を１に近づけるよう作用する。力率改善回路４はトランス５を挟んで一次側に配置されるため、力率改善回路４で使用されるチョークコイル４ａ等の使用素子の選定は発熱性等の安全性を考慮する必要があり、使用する電源に応じて専用に設計される必要が生じる。
【０００４】
ＤＣ／ＡＣコンバータ６では、ＭＯＳＦＥＴ等のスイッチング作用により昇圧、または減圧を行う。昇圧回路では、駆動電圧（１８０〜２００ボルト）、リセット電圧（２１０〜２３０ボルト）や維持電圧（１６０〜１８０ボルト）が生成される。減圧回路では、スイッチング作用並びに、ドロッパー方式により減圧を行い、走査電圧（６０〜８０ボル）、アドレス電圧（６０〜８０ボルト）が生成される。
【０００５】
駆動電圧は、概略プラズマパネルのプラズマ発光を開始するための電圧である。維持電圧は上記駆動電圧で発光させたプラズマ発光を維持するための電圧である。アドレス電圧はプラズマパネルの各画素に対応するアドレス電極に印加し、走査電圧は、走査電極に印加するための電圧である。リセット電圧は、上記走査電圧の印加を停止するためのもので、上記したアドレス電圧、走査電圧、リセット電圧を用いてプラズマパネルの水平走査が実現される。
【０００６】
上記した起動電圧と、走査電圧と、リセット電圧は使用するプラズマパネルの大きさにより変化し、また製造メーカによっても使用する電圧は異なっている。そのため、上記した駆動電源、走査電源、リセット電源を、力率改善回路を介して生成する場合には、使用する各社のプラズマパネルの上記電源の容量を見越した上で力率改善回路４を設計する必要があった。
【０００７】
さらに、使用するプラズマパネルの中には、プラズマパネル側に上記した起動電源、走査電源、リセット電源を生成する回路が初めから組み合わさっているものもあり、上記したプラズマパネルを使用する場合、電源回路を新たに設計し直す必要があった。
【０００８】
駆動電圧の異なるプラズマパネルを同一の基板で使用する方法として、電源回路を主電源基板とサブ電源基板とに分割し、サブ電源基板を組み替えることで上記駆動電圧の違いに対応する方法が開示されている（例えば、特許文献１参照。）。
【特許文献１】実用新案登録３１１３２２８号
【発明の開示】
【発明が解決しようとする課題】
【０００９】
上述した特許文献１の発明は、次のような課題があった。つまり、プラズマパネルの駆動電源の変化にともなう力率改善回路の容量まで考慮されていなかった。また、主電源基板とサブ電源基板を分割するため、上記主電源基板とサブ電源基板からプラズマパネルの駆動回路に駆動電源を供給するための電源ラインは当然分割されている。このため、電源ラインの取り回しが乱雑になっていた。
【００１０】
本発明は、上記課題にかんがみてなされたもので、力率改善回路の容量を増加することなくプラズマパネルの変更にともなう駆動電圧の変化に対応できる電源回路を用するプラズマテレビジョンの提供を目的とする。
【課題を解決するための手段】
【００１１】
上記課題を解決するために、本発明の請求項１にかかる発明では、  印加電圧により発光する物質を充填した画素をマトリクス状に配置するとともに、映像を表示するプラズマパネルと、音声を出力するスピーカと、アンテナが受信したテレビジョン放送より所定の番組に対応する周波数帯を選択し、上記選択したテレビジョン放送を基に映像信号と音声信号を生成するディジタル基板と、商用電源を基に上記プラズマパネルを駆動するためのアドレス電源と、サスティン電源と、リセット電源と、スキャン電源と、起動電源とを生成する電源基板と、上記プラズマパネルを収容する凹部を有する箱型形状であって、上記凹部に上記プラズマパネルをネジ止めするとともに、上記ディジタル基板と、電源基板を上記プラズマパネルの背面に固定されるようネジ止めするメインフレームと、上記プラズマパネルと上記ディジタル基板と上記電源基板とをネジ止めしたメインフレームと、上記スピーカとを収容する筺体とを具備するプラズマテレビジョンにおいて、
上記電源基板は、上記商用電源を整流回路にて直流に変換した後、力率改善回路にて力率を変換し、上記力率を変換した電源を基にアドレス電源を生成するアドレス電源生成部と、サスティン電源を生成するサスティン電源生成部と、上記アドレス電源とサスティン電源とを上記プラズマパネルの駆動回路に出力する第一の出力端子を有する主電源基板と、上記主電源基板の整流回路から生成された直流電源を第二の出力端子から供給し、同供給された直流電源を基にリセット電源を生成するリセット電源生成部と、スキャン電源を生成するスキャン電源生成部と、起動電源を生成する起動電源生成部と、上記リセット電源と、スキャン電源と、起動電源とを上記駆動回路に出力する第三の出力端子とを有するサブ電源生成回路とから構成され、
上記メインフレームにて、上記主電源基板とサブ電源基板とを上記プラズマパネルの背面にて厚みを同じにするよう隣接してネジ止めした際、上記第一の出力端子と上記第三の出力端子に接続して上記駆動回路に駆動電源を供給する電源ラインが一束にまとまるよう、上記主電源基板は、上記サブ電源基板と隣接する一辺より厚みを同じに延設する第一の基部と、上記第一の基部より所定間隔を有して延設する第二の基部とを有し、上記第二の基部に上記第一の出力端子を配置し、上記サブ電源基板は、上記第一の基部と上記第二の基部との間に挿入するよう同サブ電源基板の上記主電源基板と隣接する一辺より厚みを同じに延設し、上記第三の出力端子を配置する第三の基部とを有する構成としてある。
【００１２】
上記のように構成した請求項１にかかる発明においては、プラズマパネルと、スピーカと、ディジタル基板と、電源基板と、メインフレームと、筺体とを具備するプラズマテレビジョンの電源基板に関する発明である。上記電源基板は、走査電源と起動電源とリセット電源の電圧値が異なるプラズマパネルを使用しても、力率改善回路の容量を変化させることなく使用できるように、主電源基板とサブ電源基板とで生成する駆動電源を分けて生成している。主電源基板は、上記商用電源を整流回路にて直流に変換した後、力率改善回路にて力率を変換し、上記力率を変換した電源を基にアドレス電源を生成するアドレス電源生成部と、サスティン電源を生成するサスティン電源生成部と、上記アドレス電源とサスティン電源とを上記プラズマパネルの駆動回路に出力する第一の出力端子を有する。サブ電源基板は、上記主電源基板の整流回路から生成された直流電源を第二の出力端子から供給し、同供給された直流電源を基にリセット電源を生成するリセット電源生成部と、スキャン電源を生成するスキャン電源生成部と、起動電源を生成する起動電源生成部と、上記リセット電源と、スキャン電源と、起動電源とを上記駆動回路に出力する第三の出力端子とを有する。
【００１３】
また、メインフレームにて、上記主電源基板とサブ電源基板とを上記プラズマパネルの背面にて厚みを同じにするよう隣接してネジ止めした際、上記第一の出力端子と上記第三の出力端子に接続して上記駆動回路に駆動電源を供給する電源ラインが一束にまとまるよう、第一の出力端子と第三の出力端子の各基板に配置する場所を工夫している。上記主電源基板は、上記サブ電源基板と隣接する一辺より厚みを同じに延設する第一の基部と、上記第一の基部より所定間隔を有して延設する第二の基部とを有し、上記第二の基部に上記第一の出力端子を配置している。サブ電源基板は、上記第一の基部と上記第二の基部との間に挿入するよう同サブ電源基板の上記主電源基板と隣接する一辺より厚みを同じに延設する第三の基部を有している。これにより、第一の出力端子と第三の出力端子から出力される駆動電源を駆動回路に供給する電源ラインを一に束ねることが可能となる。
【００１４】
また、上記目的を達成するために、請求項２に記載の発明は、商用電源を交流安定化電源に変換した後、プラズマパネルを駆動するためのアドレス電源と、サスティン電源と、リセット電源と、スキャン電源と、起動電源とを生成し、上記生成した安定化電源を基にプラズマパネルを駆動するプラズマテレビジョンにおいて、上記商用電源を直流に変換する整流回路と、力率を変換するための力率改善回路と、アドレス電源を生成するアドレス電源生成部と、サスティン電源を生成するサスティン電源生成部とを有する主電源基板と、上記整流回路から生成された直流電源を基に、リセット電源を生成するリセット電源生成部と、スキャン電源を生成するスキャン電源生成部と、起動電源を生成する起動電源生成部とから構成されるサブ電源生成回路とを有する構成としてある。
【００１５】
上記のように構成した請求項２にかかるプラズマテレビジョンは、商用電源を交流安定化電源に変換した後、プラズマパネルを駆動するためのアドレス電源と、サスティン電源と、リセット電源と、スキャン電源と、起動電源とを生成し、上記生成した安定化電源を基にプラズマパネルを駆動するものでる。上記電源基板は、主電源基板とサブ電源基板とを有し、主電源基板は、上記商用電源を直流に変換する整流回路と、力率を変換するための力率改善回路と、アドレス電源を生成するアドレス電源生成部と、サスティン電源を生成するサスティン電源生成部とを有する。サブ電源基板は、上記整流回路から生成された直流電源を基に、リセット電源を生成するリセット電源生成部と、スキャン電源を生成するスキャン電源生成部と、起動電源を生成する起動電源生成部とから構成される。
【００１６】
そして、請求項３にかかる発明では、請求項２に記載のプラズマテレビジョンにおいて、上記主電源基板と、上記サブ電源基板とは、上記プラズマパネルを固定するための凹部を有する箱状のメインフレームにて、上記プラズマパネルの背面にて厚みを同じにするよう隣接して固定されるとともに、上記主電源基板と上記サブ電源基板から出力される電源を、上記プラズマパネルに供給するための電源ラインを一束にまとめるために、上記主電源基板は、上記サブ電源基板と隣接する一辺より延設し上記プラズマパネルへ上記アドレス電源と上記サスティン電源とを供給する出力端子を配置する第一の基部と、上記第一の基部と所定の間隔を有して延設する第二の基部とを有し、上記サブ電源基板は、上記主電源基板と隣接して固定された際、上記リセット電源とスキャン電源と起動電源とを出力する出力端子が上記第一の基部と上記第二の基部との間に挿入するよう同サブ電源基板の上記主電源基板と隣接する一辺より厚みを同じに延設する第三の基部とを有する構成としてある。
【００１７】
上記のように構成した請求項３にかかる発明において、上記主電源基板と、上記サブ電源基板とはメインフレームにて上記プラズマパネルの背面にて厚みを同じにするよう隣接して固定された際、上記主電源基板と上記サブ電源基板から出力される電源を、上記プラズマパネルに供給するための電源ラインを一束にまとめるために、各基板に配置される出力端子の位置を工夫している。上記主電源基板は、上記サブ電源基板と隣接する一辺より延設する第一の基部に、上記プラズマパネルへ上記アドレス電源と上記サスティン電源とを供給する出力端子を配置する。上記サブ電源基板は、上記リセット電源とスキャン電源と起動電源とを出力する出力端子を上記第一の基部と上記第二の基部との間に挿入するよう同サブ電源基板の上記主電源基板と隣接する一辺より厚みを同じに延設する第三の基部に配置している。これにより、出力端子間の距離を近づけることが可能となり電源ラインを一つに束ねることが可能となる。
【００１８】
さらに、請求項４にかかる発明では、請求項３に記載のプラズマテレビジョンにおいて上記主電源基板は、上記サブ電源基板に上記整流回路から分圧した電源電圧を供給するための出力端子を、上記第二の基部に配置する構成としてある。
【００１９】
上記のように構成した請求項４にかかる発明において、上記主電源基板は、上記サブ電源基板と出力端子を介して接続し、上記出力端子にて上記整流回路から分圧した電源電圧をサブ電源基板に供給する。
【発明の効果】
【００２０】
以上説明したように本発明によれば、プラズマパネルの変更による力率改善回路の容量を上げることなく、仕様する駆動電源に応じて電源回路の基板構成を容易に変化させることが可能な電源回路を使用するプラズマテレビジョンを提供することができる。
また請求項３にかかる発明によれば、主電源基板とサブ電源基板とを互いに組み合わさるような形状とし、上記組み合わさる基板上に駆動電源を供給するための出力端子を配置しているので電源ラインを乱雑にすることなく束ねることができる。
そして請求項４にかかる発明によれば、整流回路から分圧した電源を出力端子を介してサブ電源基板に供給するので簡易な作用で、サブ電源基板の取替えを行うことができる。
さらに請求項１のような、より具体的な構成において、上述した請求項２〜請求項４の各発明と同様の作用を奏することはいうまでもない。
【発明を実施するための最良の形態】
【００２１】
以下、下記の順序に従って本発明の実施形態を説明する。
（１）プラズマテレビジョンの構成
（２）主電源基板の構成
（３）サブ電源基板の構成
（４）まとめ
【００２２】
（１）プラズマテレビジョンの構成 
以下、図１を参照して、この発明に係るプラズマテレビジョンを具体化した第１の実施の形態について説明する。図１は、本発明の一実施形態にかかるプラズマテレビジョンの概略構成を示している。同図において、プラズマテレビジョン１０は、プラズマパネル１３と、映像処理回路１４ｃとチューナ１４ｂと音声信号処理回路１４ｄとマイコン１４ａとを実装するディジタル基板１４と、主電源基板１６とサブ電源基板１７とから構成される電源基板７と、プラズマパネル１３と、電源基板７とをネジ止めする箱型形状のメインフレーム１２と、音声を出力するスピーカ１５と、上記各要素を収容する筺体１１とを有する構成である。
【００２３】
以下にプラズマテレビジョン１０の概略、機能を説明する。チューナ１４ｂは外部のアンテナ１４ｅからテレビ電波を入力しており、マイコン１４ａにて指定された周波数帯域のテレビジョン放送から映像信号等を抽出することで所定の番組を選択する。さらに、チューナ１４ｂは、上記受信したテレビジョン放送を基に、映像を表示するための映像信号と音声を出力するための音声信号を生成するクロマ制御を行う。
【００２４】
映像処理回路１４ｃはチューナ１４ｂから入力された映像信号に基づいてディジタル映像信号を生成する。映像処理回路１４ｃにて生成されたディジタル映像信号は、プラズマパネル１３が備える駆動回路１３ａに入力され、駆動回路１３ａにてプラズマパネル１３の駆動信号が生成される。以上の構成により、テレビ電波に基づく映像をプラズマパネル１３にて再生することができる。むろん、アンテナ１４ｅにて受信したテレビ映像のみならず、ＣＡＴＶによるテレビ映像が再生されてもよいし、ＤＶＤビデオデッキ等の外部機器から入力された映像信号が再生されてもよい。映像処理回路１４ｃが各信号形式に対応していればよく、チューナ１４ｂに入力されるテレビ電波はディジタル形式であってもよいし、アナログ形式であってもよい。
【００２５】
プラズマパネル１３は、印加電圧により発光する物質を充填した画素をマトリクス状に配置するとともに、映像を表示する。電源回路１は、主電源基板１６とサブ電源基板１７とから構成され、プラズマパネル１３の駆動に必要な駆動電源である、サスティン電源、アドレス電源、起動電源、リセット電源、走査電源を駆動回路１３ａに供給する。主電源基板１６は、駆動回路１３ａにサステイン電源とアドレス電源を入力する。サブ電源基板１７は、駆動回路１３ａにサブ電源としてのリセット電源と起動電源と走査電源を入力している。サスティン電源とアドレス電源とスキャン電源は、それぞれプラズマパネル１３に多数備えられる画素における維持電極とアドレス電極と走査電極に供給される。本実施形態のプラズマパネル１３では、アドレス電極によって予備放電を行ったセルにおいて、走査電極と維持電極間にパルス電圧を加えることにより、プラズマパネル１３の表示面方向に放電を起こさせる面放電方式を採用している。一方、リセット電源と起動電源はセルの残留電荷消去するために使用される。
【００２６】
（２）主電源基板の構成
以下に主電源基板１６の説明を行う。図２は、メインフレーム１２にネジ止めされる主電源基板１６とサブ電源基板１７を表す図である。図３は、主電源基板１６とサブ電源基板１７の概略構成図である。同図２より、主電源基板１６は、第一の基部１６ａと第二の基部１６ｂとを有する形状である。第一の基部１６ａは、サブ電源基板１７と隣接する一辺より延設し、駆動回路１３ａへアドレス電源とサスティン電源とを供給する第一の出力端子２０を配置する。第二の基部１６ｂは、第一の基部１６ａと所定の間隔を有して延設するよう形状している。主電源基板１６の両端には、メインフレーム１２とネジ止めするための穴１６ｃ、１６ｄを有しており、メインフレーム１２側のボスとネジ止めすることで固定される。
【００２７】
主電源基板１６に実装される回路は、コンセントから入力される商用電源２を直流に変換する整流回路３と、力率を変換するための力率改善回路４と、アドレス電源を生成するアドレス電源生成部６ａと、サスティン電源を生成するサスティン電源生成部６ｂである。コンセントより入力された商用電源２は、整流回路３に実装されるサイリスタの作用により直流化されて、力率改善回路４に出力される。力率改善回路４に入力された電源電圧は、チョークコイル４ａとトランジスタ４ｂのスイッチング作用を基に力率を１に近ずけるよう改善する。力率改善回路４にて力率を改善された電源電圧は、第一のトランス１８の一次側コイル１８ａに印加される。第一のトランス１８の二次側コイル１８ｂでは、分圧された電圧がアドレス電源を生成するアドレス電源生成部６ａと、サスティン電源生成部６ｂとに出力される。
【００２８】
アドレス電源生成部６ａは、ＭＯＳＦＥＴによるスイッチング制御により２００ボルト交流電圧を生成するＤＣ／ＡＣコンバータであり、スイッチング制御により２００ボルトに定圧化されたアドレス電圧を生成する。サスティン電源生成部６ｂは、ＭＯＳＦＥＴによるスイッチング制御により１５ボルトの交流を生成するＤＣ／ＡＣコンバータであり、定圧化されたサスティン電源を生成する。上記アドレス電源生成部６ａとサスティン電源生成部６ｂにより生成された駆動用電源は、第一の出力端子２０に出力され、プラズマパネル１３の駆動回路１３ａに出力される。
【００２９】
また、主電源基板１６は、フィードバック回路２５を有している。フィードバック回路２５は、第一のトランス１８の二次側コイル１８ｂと、もう一端を一次側コイル１８ａ接続しており、二次側コイル１８ｂの電圧が高電圧になった場合は、フィードバック回路２５は高電圧を検出し一次側コイルの電圧を正常な値に近づけるようフィードバック制御をう。
【００３０】
（３）サブ電源基板の構成
サブ電源基板は、第三の基部１７ａを有する形状である。第三の基部１７ａは、主電源基板１６と隣接してメインフレーム１２にネジ止めされた際、主電源基板１６の第一の基部１６ａと第二の基部１６ｂとの間に挿入するようサブ電源基板１７の主電源基板１６と隣接する一辺より厚みを同じに延設する。また、第三の基部１７ａは、プラズマパネル１３へ後述する起動電源と、リセット電源と、アドレス電源とを供給する第二の出力端子２１とを配置している。サブ電源基板１７の両端には、主電源基板１６と同様にメインフレーム１２にネジ止めするための第二の穴７ｂ、７ｃ、７ｄ、７ｅが形成されており、メインフレーム１２側のボスとネジ止めする。このとき、主電源基板１６の第一の基部１６ａと第二の基部１６ｂとの間にサブ電源基板１７の第三の基部１７ａが挿入するよう配置される。
【００３１】
サブ電源基板１７は、リセット電源を生成するリセット電源生成部６ｃと、スキャン電源を生成するスキャン電源生成部６ｄと、起動電源を生成する起動電源生成部６ｅとを実装する。主電源基板１６の整流回路３にて整流された直流電源は分圧され、第二のトランス１９の一次側コイル１９ａに印加される。第二のトランス１９の二次側コイル１９ｂでは、電源電圧を分圧して第三の出力端子２２に出力する。サブ電源基板１７側の第三の出力端子２２と接続した入力端子２４より第二のトランス１９の二次側コイル１９ｂより分圧して出力された電源電圧をリセット電源生成部６ｃと、スキャン電源生成部６ｄと、起動電源生成部６ｅとにそれぞれ出力する。
【００３２】
リセット電源生成部６ｃは、入力端子２４を介して入力された直流電源電圧を２００ボルトの交流電源に変換するＤＣ／ＡＣコンバータとして機能し、第二の出力端子２１を介してプラズマパネル１３の駆動回路１３ａにリセット電源を出力する。スキャン電源生成部６ｄと起動電源生成部６ｅも同様にＤＣ／ＡＣコンバータとして、交流電源であるスキャン電源と起動電源とを生成し、第二の出力端子２１を介してプラズマパネル１３の駆動回路１３ａに出力する。このとき、主電源基板１６とサブ電源基板１７とは、第二のトランス１９にて絶縁されているとともに、入力端子２４を介して接続されているので、サブ電源基板１７をプラズマパネル１３の駆動電源の使用設定に合わせて容易に切り替えることが可能となる。
【００３３】
図２より、主電源基板１６とサブ電源基板１７をメインフレーム１２にネジ止めした際、主電源基板１６とサブ電源基板１７にて構成される電源回路１から出力される駆動電源は、第一の出力端子２０と、第二の出力端子２１に接続した電源ライン２３を介してプラズマパネル１３の駆動回路１３ａに出力される。このとき、第一の出力端子２０と第二の出力端子２１は、主電源基板１６と、サブ電源基板１７とが隣接する近傍にて略同直線状になるよう配置している。このため、第一の出力端子２０と第二の出力端子２１に接続する電源ラインコネクタ２３ａ、２３ｂは比較的近くに配置することができ、電源ライン２３を煩雑にすることくまとめることが可能となる。
【００３４】
また、サブ電源基板１７が生成する起動電源、スキャン電源、リセット電源を必要としないプラズマパネル１３と接続する場合は、サブ電源基板１７とメインフレーム１２とを固定するネジをはずし、サブ電源基板１７をメインフレーム１２から取り外し、第一の出力端子２０とプラズマパネル１３の駆動回路１３ａとを電源ライン２３を介して接続する。さらには、起動電源と、スキャン電源、リセット電源のみが異なるプラズマパネル１３を使用する際には、上記起動電源、スキャン電源、リセット電源に対応したサブ電源基板１７を、主電源基板１６と接続すればよい。このため、プラズマパネル１３の変更に伴う起動電源とリセット電源と、スキャン電源の変更にもサブ電源基板１７を変更するだけで十分対応することが可能となる。さらには、サブ電源基板１７に供給される電源電圧は、力率改善回路４を介さないので力率改善回路４の設計を容易に行うことが可能となる。
（４）まとめ
【００３５】
また、上記目的を達成するために、請求項２に記載の発明は、商用電源を交流安定化電源に変換した後、プラズマパネルを駆動するためのアドレス電源と、サスティン電源と、リセット電源と、スキャン電源と、起動電源とを生成し、上記生成した安定化電源を基にプラズマパネルを駆動するプラズマテレビジョンにおいて、上記商用電源を直流に変換する整流回路と、力率を変換するための力率改善回路と、アドレス電源を生成するアドレス電源生成部と、サスティン電源を生成するサスティン電源生成部とを有する主電源基板と、上記整流回路から生成された直流電源を基に、リセット電源を生成するリセット電源生成部と、スキャン電源を生成するスキャン電源生成部と、起動電源を生成する起動電源生成部とから構成されるサブ電源生成回路とを有する構成としてある。
【００３６】
上記のように構成した請求項２にかかるプラズマテレビジョンは、商用電源を交流安定化電源に変換した後、プラズマパネルを駆動するためのアドレス電源と、サスティン電源と、リセット電源と、スキャン電源と、起動電源とを生成し、上記生成した安定化電源を基にプラズマパネルを駆動するものでる。上記電源基板は、主電源基板とサブ電源基板とを有し、主電源基板は、上記商用電源を直流に変換する整流回路と、力率を変換するための力率改善回路と、アドレス電源を生成するアドレス電源生成部と、サスティン電源を生成するサスティン電源生成部とを有する。サブ電源基板は、上記整流回路から生成された直流電源を基に、リセット電源を生成するリセット電源生成部と、スキャン電源を生成するスキャン電源生成部と、起動電源を生成する起動電源生成部とから構成されるので、プラズマパネルの変更による力率改善回路の容量を上げることなく、仕様する駆動電源に応じて電源回路の基板構成を容易に変化させることが可能な電源回路を使用するプラズマテレビジョンを提供することができる。
【００３７】
そして、請求項３にかかる発明では、請求項２に記載のプラズマテレビジョンにおいて、上記主電源基板と、上記サブ電源基板とは、上記プラズマパネルを固定するための凹部を有する箱状のメインフレームにて、上記プラズマパネルの背面にて厚みを同じにするよう隣接して固定されるとともに、上記主電源基板と上記サブ電源基板から出力される電源を、上記プラズマパネルに供給するための電源ラインを一束にまとめるために、上記主電源基板は、上記サブ電源基板と隣接する一辺より延設し上記プラズマパネルへ上記アドレス電源と上記サスティン電源とを供給する出力端子を配置する第一の基部と、上記第一の基部と所定の間隔を有して延設する第二の基部とを有し、上記サブ電源基板は、上記主電源基板と隣接して固定された際、上記リセット電源とスキャン電源と起動電源とを出力する出力端子が上記第一の基部と上記第二の基部との間に挿入するよう同サブ電源基板の上記主電源基板と隣接する一辺より厚みを同じに延設する第三の基部とを有する構成としてある。
【００３８】
上記のように構成した請求項３にかかる発明において、上記主電源基板と、上記サブ電源基板とはメインフレームにて上記プラズマパネルの背面にて厚みを同じにするよう隣接して固定された際、上記主電源基板と上記サブ電源基板から出力される電源を、上記プラズマパネルに供給するための電源ラインを一束にまとめるために、各基板に配置される出力端子の位置を工夫している。上記主電源基板は、上記サブ電源基板と隣接する一辺より延設する第一の基部に、上記プラズマパネルへ上記アドレス電源と上記サスティン電源とを供給する出力端子を配置する。上記サブ電源基板は、上記リセット電源とスキャン電源と起動電源とを出力する出力端子を上記第一の基部と上記第二の基部との間に挿入するよう同サブ電源基板の上記主電源基板と隣接する一辺より厚みを同じに延設する第三の基部に配置しているので、主電源基板とサブ電源基板とを互いに組み合わさるような形状となり、上記組み合わさる基板上に駆動電源を供給するための出力端子を配置しているので電源ラインを乱雑にすることなく束ねることができる。
【００３９】
さらに、請求項４にかかる発明では、請求項３に記載のプラズマテレビジョンにおいて上記主電源基板は、上記サブ電源基板に上記整流回路から分圧した電源電圧を供給するための出力端子を、上記第二の基部に配置する構成としてある。
【００４０】
上記のように構成した請求項４にかかる発明において、上記主電源基板は、上記サブ電源基板と出力端子を介して接続し、上記出力端子にて上記整流回路から分圧した電源電圧をサブ電源基板に供給するので、整流回路から分圧した電源を出力端子を介してサブ電源基板に供給するので簡易な作用で、サブ電源基板の取替えを行うことができる。
【００４１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用することは本発明の一実施例として開示されるものである。
【図面の簡単な説明】
【００４２】
【図１】プラズマテレビジョンのブロック構成図である。
【図２】主電源基板とサブ電源基板をメインフレームにネジ止めした図である。
【図３】主電源基板とサブ電源基板の概略構成図である。
【図４】従来の電源回路の図である。
【符号の説明】
【００４３】
１…電源回路、  ２…商用電源、  ３…整流回路、  ４…力率改善回路、  ４ａ…チョークコイル、  ４ｂ…トランジスタ、  ５…トランス、６…ＤＣ／ＡＣコンバータ  ６ａ…アドレス電源生成部、  ６ｂ…サスティン電源生成部、  ６ｃ…リセット電源生成部  ６ｄ…スキャン電源生成部  ６ｅ…起動電源生成部  ７…電源基板、  １０…プラズマテレビジョン、  １１…筺体、  １２…メインフレーム  １３…プラズマパネル、  １３ａ…駆動回路、  １４…ディジタル基板、  １４ａ…マイコン、  １４ｂ…チューナ、  １４ｃ…映像信号処理回路、  １４ｄ…音声信号処理回路、  １４ｅ…アンテナ、  １５…スピーカ、  １６…主電源基板、  １６ａ…第一の基部、１６ｂ…第二の基部、  １７…サブ電源基板、  １７ａ…第三の基部、  １８…第一のトランス、  １８ａ…一次側コイル、  １８ｂ…二次側コイル、  １９…第二のトランス、  １９ａ…一次側コイル、  １９ｂ…二次側コイル、  ２０…第一の出力端子、  ２１…第二の出力端子、  ２２…第三の出力端子、  ２３…電源ライン、  ２４…入力端子  ２５…フィードバック回路
【図１】
2007258818.tif 000003
【図２】
2007258818.tif 000004
【図３】
2007258818.tif 000005
【図４】
2007258818.tif 000006